(57)【要約】【課題】二つの電動式オイルポンプを通じて、低圧部と高圧部にオイルをさらに安定的に供給することができるオイル供給システムを提供する。【解決手段】  本発明の実施例によるオイル供給システムは、第１メインラインを通じて低圧部にオイルをポンピングする第１オイルポンプと、第２メインラインを通じて高圧部にオイルをポンピングする第２オイルポンプと、前記第１メインラインと前記第２メインラインにそれぞれ配置されて、オイルの逆流を防止する第１、２チェックバルブと、前記第１メインラインの前記第１チェックバルブの前端部から伝達されるオイルの圧力によって、前記第２メインラインに流れるオイルを前記低圧部に選択的に供給するようにする第１切換バルブと、及び前記第２メインラインの前記第２チェックバルブの前端部から伝達されるオイルの圧力によって、前記第２メインラインに流れるオイルを前記高圧部に選択的に供給するようにする第２切換バルブとを含むことができる。【選択図】図１
2014219096.tif 000002
【特許請求の範囲】
【請求項１】
第１メインラインを通じて低圧部にオイルをポンピングする第１オイルポンプと、
第２メインラインを通じて高圧部にオイルをポンピングする第２オイルポンプと、
前記第１メインラインと前記第２メインラインの一側にそれぞれ配置されて、オイルの逆流を防止する第１、２チェックバルブと、
前記第１メインラインの前記第１チェックバルブの前端部から伝達されるオイルの圧力によって、前記第２メインラインに流れるオイルを前記低圧部に選択的に供給するようにする第１切換バルブと、
前記第２メインラインの前記第２チェックバルブの前端部から伝達されるオイルの圧力によって、前記第２メインラインに流れるオイルを前記高圧部に選択的に供給するようにする第２切換バルブと、
を含むことを特徴とする、オイル供給システム。
【請求項２】
前記第１切換バルブの第１制御ポートは、第１バルブ作動ラインを通じて前記第１メインラインと連結され、
その一側は、高圧オイル伝達ラインを通じて前記第２メインラインと連結され、その他側は第１非常ラインを通じて前記第１メインラインと連結されることを特徴とする、請求項１に記載のオイル供給システム。
【請求項３】
前記高圧オイル伝達ラインの一端部は前記第１切換バルブと連結され、他端部は前記第２メインラインの前記第２チェックバルブの後端部と連結されることを特徴とする、請求項２に記載のオイル供給システム。
【請求項４】
前記第１非常ラインは、前記第１メインラインの前記第１チェックバルブの後端部と連結されることを特徴とする、請求項２に記載のオイル供給システム。
【請求項５】
前記第２切換バルブの第２制御ポートは、第２バルブ作動ラインを通じて前記第２メインラインと連結され、
その一側は、低圧オイル伝達ラインを通じて前記第１メインラインと連結され、その他側は、第２非常ラインを通じて前記第２メインラインと連結されることを特徴とする、請求項１に記載のオイル供給システム。
【請求項６】
前記低圧オイル伝達ラインの一端部は前記第１切換バルブと連結され、他端部は前記第１メインラインの前記第１チェックバルブの後端部と連結されることを特徴とする、請求項５に記載のオイル供給システム。
【請求項７】
前記第２非常ラインは、前記第２メインラインの前記第２チェックバルブの後端部と連結されることを特徴とする、請求項５に記載のオイル供給システム。
【請求項８】
前記低圧部は、部品の潤滑のための潤滑部と連結されることを特徴とする、請求項１に記載のオイル供給システム。
【請求項９】
前記高圧部は、油圧クラッチと油圧ブレーキを含むことを特徴とする、請求項１に記載のオイル供給システム。
【請求項１０】
第１メインラインを通じて低圧部にオイルをポンピングする第１オイルポンプと、
第２メインラインを通じて高圧部にオイルをポンピングする第２オイルポンプと、
前記第１メインラインから伝達されるオイルの圧力によって、前記第２メインラインに流れるオイルを前記低圧部に選択的に供給するようにする第１切換バルブと、
前記第２メインラインから伝達されるオイルの圧力によって、前記第２メインラインに流れるオイルを前記高圧部に選択的に供給するようにする第２切換バルブと、
を含むことを特徴とする、オイル供給システム。
【請求項１１】
前記第１メインラインと前記第２メインラインにそれぞれ配置されて、オイルの逆流を防止する第１、２チェックバルブと、
前記第１切換バルブは、前記第１メインラインの前記第１チェックバルブの前端部から伝達されるオイルの圧力によって作動し、
前記第２切換バルブは、前記第２メインラインの前記第２チェックバルブの前端部から伝達されるオイルの圧力によって作動することを特徴とする、請求項１０に記載のオイル供給システム。
【発明の詳細な説明】
【技術分野】
【０００１】
本発明は、部品を潤滑させることが目的である低圧部と、クラッチとブレーキのような作動機構を作動させることが目的である高圧部とに、オイルを安定的に供給するオイル供給システムに関する。
【背景技術】
【０００２】
一般に、電気自動車は、低速または停車のときにエンジンが停止するので、機械式オイルポンプの代わりに電動式オイルポンプが具備される。
【０００３】
そして、ハイブリッド自動車は、機械式オイルポンプと電動式オイルポンプを備えることができ、機械式オイルポンプと電動式オイルポンプが備わる従来技術の文献として、韓国特許出願第１０−２００８−０１２３０１４号がある。
【０００４】
次第に機械式オイルポンプの代わりに電動式オイルポンプが使用されており、車両に二つの電動式オイルポンプが備わる場合、一つは低圧部にオイルを供給し、他の一つは高圧部にオイルを供給する。
【０００５】
ここで、低圧部は、低圧のオイルを利用して部品を潤滑するのを主要目的とし、高圧部は、高圧のオイルを利用してクラッチとブレーキなどの作動要素を作動させるのを目的とする。
【０００６】
一方、二つのオイルポンプを利用してそれぞれ低圧部と高圧部にオイルを供給するとき、低圧用ポンプと高圧用ポンプのうちの一つが作動が不可能で、低圧部や高圧部への安定的なオイルの供給が行われない。
【先行技術文献】
【特許文献】
【０００７】
【特許文献１】韓国特許出願第１０−２００８−０１２３０１４号
【発明の概要】
【発明が解決しようとする課題】
【０００８】
そこで、本発明の目的は、二つの電動式オイルポンプを通じて、低圧部と高圧部にオイルをさらに安定的に供給することができるオイル供給システムを提供することにある。
【課題を解決するための手段】
【０００９】
本発明の実施例によるオイル供給システムは、第１メインラインを通じて低圧部にオイルをポンピングする第１オイルポンプと、第２メインラインを通じて高圧部にオイルをポンピングする第２オイルポンプと、前記第１メインラインと前記第２メインラインにそれぞれ配置されて、オイルの逆流を防止する第１、２チェックバルブと、前記第１メインラインの前記第１チェックバルブの前端部から伝達されるオイルの圧力によって、前記第２メインラインに流れるオイルを前記低圧部に選択的に供給するようにする第１切換バルブと、前記第２メインラインの前記第２チェックバルブの前端部から伝達されるオイルの圧力によって、前記第２メインラインに流れるオイルを前記高圧部に選択的に供給するようにする第２切換バルブとを含むことができる。
【００１０】
前記第１切換バルブの第１制御ポートは、第１バルブ作動ラインを通じて前記第１メインラインと連結し、その一側は、高圧オイル伝達ラインを通じて前記第２メインラインと連結し、その他側は、第１非常ラインを通じて前記第１メインラインと連結することができる。
【００１１】
前記高圧オイル伝達ラインの一端部は前記第１切換バルブと連結し、他端部は前記第２メインラインの前記第２チェックバルブの後端部と連結することができる。
【００１２】
前記第１非常ラインは、前記第１メインラインの前記第１チェックバルブの後端部と連結することができる。
【００１３】
前記第２切換バルブの第２制御ポートは、第２バルブ作動ラインを通じて前記第２メインラインと連結し、その一側は、低圧オイル伝達ラインを通じて前記第１メインラインと連結し、その他側は、第２非常ラインを通じて前記第２メインラインと連結することができる。
【００１４】
前記低圧オイル伝達ラインの一端部は前記第１切換バルブと連結し、他端部は前記第１メインラインの前記第１チェックバルブの後端部と連結することができる。
【００１５】
前記第２非常ラインは、前記第２メインラインの前記第２チェックバルブの後端部と連結することができる。
【００１６】
前記低圧部は、部品の潤滑のための潤滑部と連結することができる。
【００１７】
前記高圧部は、油圧クラッチと油圧ブレーキを含むことができる。
【００１８】
本発明の実施例によるオイル供給システムは、第１メインラインを通じて低圧部にオイルをポンピングする第１オイルポンプと、第２メインラインを通じて高圧部にオイルをポンピングする第２オイルポンプと、前記第１メインラインから伝達されるオイルの圧力によって、前記第２メインラインに流れるオイルを前記低圧部に選択的に供給するようにする第１切換バルブと、前記第２メインラインから伝達されるオイルの圧力によって、前記第２メインラインに流れるオイルを前記高圧部に選択的に供給するようにする第２切換バルブとを含むことができる。
【００１９】
前記第１メインラインと前記第２メインラインにそれぞれ配置されて、オイルの逆流を防止する第１、２チェックバルブを含み、前記第１切換バルブは、前記第１メインラインの前記第１チェックバルブの前端部から伝達されるオイルの圧力によって作動し、前記第２切換バルブは、前記第２メインラインの前記第２チェックバルブの前端部から伝達されるオイルの圧力によって作動することができる。
【発明の効果】
【００２０】
上述のように本発明の実施例によるオイル供給システムにおいて、低圧部にオイルをポンピングする第１オイルポンプと、高圧部にオイルをポンピングする第２オイルポンプのうちの一つが作動しないとき、他の一つがポンピングする第１、２切換バルブによりオイルが低圧部と高圧部に安定的に供給される。
【図面の簡単な説明】
【００２１】
【図１】本発明の実施例によるオイル供給システムの概略的なフローチャートである。
【図２】本発明の実施例によるオイル供給システムで第１オイルポンプが動作しない状態を示す概略的なフローチャートである。
【図３】本発明の実施例によるオイル供給システムで第２オイルポンプが動作しない状態を示す概略的なフローチャートである。
【図４】本発明の実施例によるオイル供給システムで第１、２切換バルブの動作によるオイルが供給されるルートを示すフローチャートである。
【図５】本発明の実施例によるオイル供給システムで第１、２切換バルブの動作によるオイルが供給されるルートを示すフローチャートである。
【図６】本発明の実施例によるオイル供給システムで第１、２切換バルブの動作によるオイルが供給されるルートを示すフローチャートである。
【図７】本発明の実施例によるオイル供給システムで第１、２切換バルブの動作によるオイルが供給されるルートを示すフローチャートである。
【発明を実施するための形態】
【００２２】
以下、本発明の好ましい実施例について、添付した図面を参照して詳細に説明する。
【００２３】
図１は、本発明の実施例によるオイル供給システムの概略的な構成図である。
【００２４】
図１を参照すれば、オイル供給システムは、大きく低圧オイル供給システムと高圧オイル供給システムを含み、前記低圧オイル供給システムは、第１オイルポンプ１００、第１レギュレータバルブ１２０、低圧部１３０、潤滑部１４０、第１メインライン１１０、第１チェックバルブ１６０、第１切換バルブ１５０、第１バルブ作動ライン１７０、高圧オイル伝達ライン１８０、及び第１非常ライン１９０を含む。
【００２５】
前記高圧オイル供給システムは、第２オイルポンプ１０５、第２レギュレータバルブ１２５、高圧部１３５、作動要素１４５、第２メインライン１１５、第２チェックバルブ１６５、第２切換バルブ１５５、第２バルブ作動ライン１７５、低圧オイル伝達ライン１８５、及び第２非常ライン１９５を含む。
【００２６】
前記第１メインライン１１０は、前記第１オイルポンプ１００と前記低圧部１３０である前記潤滑部１４０を連結し、前記第１メインライン１１０には前記第１チェックバルブ１６０と前記第１レギュレータバルブ１２０が順次に配置される。
【００２７】
前記第１オイルポンプ１００と前記第２オイルポンプ１０５は、一つのオイルファンからオイルをポンピングして、それぞれ前記低圧部１３０と前記高圧部１３５にオイルをポンピングする構造を有する。
【００２８】
さらに詳細には、前記第１バルブ作動ライン１７０は、前記第１メインライン１１０の前記第１チェックバルブ１６０の前端部から分岐して、前記第１切換バルブ１５０と連結される。また、前記高圧オイル伝達ライン１８０は、前記第２メインライン１１５の前記第２チェックバルブ１６５の後端部から分岐して、前記第１切換バルブ１５０と連結される。そして、前記第１非常ライン１９０は、前記第１切換バルブ１５０から前記第１メインライン１１０の前記第１チェックバルブ１６０の後端部に連結される。
【００２９】
前記第２メインライン１１５は、前記第２オイルポンプ１０５と前記高圧部１３５である前記作動要素１４５を連結し、前記第２メインライン１１５には前記第２チェックバルブ１６５と前記第２レギュレータバルブ１２５が順次に配置される。
【００３０】
前記第２バルブ作動ライン１７５は、前記第２メインライン１１５の前記第２チェックバルブ１６５の前端部から分岐して、前記第２切換バルブ１５５と連結される。
【００３１】
また、前記低圧オイル伝達ライン１８５は、前記第１メインライン１１０の前記第１チェックバルブ１６０の後端部から分岐して、前記第２切換バルブ１５５と連結される。そして、前記第２非常ライン１９５は、前記第２切換バルブ１５５から前記第２メインライン１１５の前記第２チェックバルブ１６５の後端部に連結される。
【００３２】
本発明の実施例において、前記第１切換バルブ１５０は、前記第１バルブ作動ライン１７０を通じて前記第１オイルポンプ１００のオイル圧力が伝達されなければ、前記高圧オイル伝達ライン１８０を通じて前記第２オイルポンプ１０５からポンピングされるオイルが伝達されて、前記第１非常ライン１９０を通じて前記第１メインライン１１０に供給する。
【００３３】
そして、前記第２切換バルブ１５５は、前記第２バルブ作動ライン１７５を通じて前記第２オイルポンプ１０５のオイル圧力が伝達されなければ、前記低圧オイル伝達ライン１８５を通じて前記第１オイルポンプ１００からポンピングされるオイルが伝達されて、前記第２非常ライン１９５を通じて前記第２メインライン１１５に供給する。
【００３４】
図２は、本発明の実施例によるオイル供給システムにおいて、第１オイルポンプが動作しない状態を示す概略的な構成図である。
【００３５】
図２を参照すれば、前記第１オイルポンプ１００が作動せずに、前記第２オイルポンプ１０５が作動すれば、前記第１バルブ作動ライン１７０を通じて前記第１切換バルブ１５０にオイルの圧力が伝達されない。
【００３６】
したがって、前記第１切換バルブ１５０は、前記高圧オイル伝達ライン１８０を通じて前記第２オイルポンプ１０５から供給されるオイルを、前記第１非常ライン１９０を通じて前記第１メインライン１１０に供給する。
【００３７】
図３は、本発明の実施例によるオイル供給システムにおいて、第２オイルポンプが動作しない状態を示す概略的な構成図である。
【００３８】
図３を参照すれば、前記第１オイルポンプ１００が作動し、前記第２オイルポンプ１０５が作動しなければ、前記第２バルブ作動ライン１７５を通じて前記第２切換バルブ１５５にオイルの圧力が伝達されない。
【００３９】
したがって、前記第２切換バルブ１５５は、前記低圧オイル伝達ライン１８５を通じて前記第１オイルポンプ１００から供給されるオイルを、前記第２非常ライン１９５を通じて前記第２メインライン１１５に供給する。
【００４０】
図４乃至７は、本発明の実施例によるオイル供給システムにおいて、第１、２切換バルブの動作によるオイルが供給されるルートを示すフローチャートである。
【００４１】
図４を参照すれば、前記第１切換バルブ１５０には第１制御ポート４００が形成され、前記第１制御ポート４００に前記第１バルブ作動ライン１７０が連結される。そして、前記第１切換バルブ１５０の一側には前記高圧オイル伝達ライン１８０が連結され、他側には前記第１非常ライン１９０が連結される。
【００４２】
ここで、前記第１バルブ作動ライン１７０を通じて前記第１切換バルブ１５０の前記第１制御ポート４００にオイルの圧力が伝達されれば、前記高圧オイル伝達ライン１８０と前記第１非常ライン１９０は連結されない。
【００４３】
図５を参照すれば、前記第１バルブ作動ライン１７０を通じて前記第１切換バルブ１５０の前記第１制御ポート４００にオイルの圧力が伝達されなければ、前記高圧オイル伝達ライン１８０と前記第１非常ライン１９０が連結されて、前記第２オイルポンプ１０５からポンピングされるオイルが前記第１レギュレータバルブ１２０に伝達される。
【００４４】
図６を参照すれば、前記第２切換バルブ１５５には第２制御ポート６００が形成され、前記第２制御ポート６００に前記第２バルブ作動ライン１７５が連結される。そして、前記第２切換バルブ１５５の一側には前記低圧オイル伝達ライン１８５が連結され、他側には前記第２非常ライン１９５が連結される。
【００４５】
ここで、前記第２バルブ作動ライン１７５を通じて前記第２切換バルブ１５５の前記第２制御ポート６００にオイルの圧力が伝達されれば、前記低圧オイル伝達ライン１８５と前記第２非常ライン１９５は連結されない。
【００４６】
図７を参照すれば、前記第２バルブ作動ライン１７５を通じて前記第２切換バルブ１５５の前記第２制御ポート６００にオイル圧力が伝達されなければ、前記低圧オイル伝達ライン１８５と前記第２非常ライン１９５が連結されて、前記第１オイルポンプ１００からポンピングされるオイルが前記第２レギュレータバルブ１２５に伝達される。
【００４７】
本発明の実施例において、前記第１切換バルブ１５０は、前記第１バルブ作動ライン１７０を通じて供給されるオイル圧力が、設定された数値以下のとき作動して、前記第２オイルポンプ１０５からポンピングされるオイルを前記高圧オイル伝達ライン１８０と前記第１非常ライン１９０を通じて前記第１メインライン１１０に供給することができる。
【００４８】
また、前記第２切換バルブ１５５は、前記第２バルブ作動ライン１７５を通じて供給されるオイル圧力が、設定された数値以下のとき作動して、前記第１オイルポンプ１００からポンピングされるオイルを前記低圧オイル伝達ライン１８５と前記第２非常ライン１９５を通じて前記第２メインライン１１５に供給することができる。
【００４９】
以上、本発明に関する好ましい実施例を説明したが、本発明は上記実施例に限定されず、本発明の実施例から当該発明が属する技術分野における通常の知識を有する者による容易に変更されて均等であると認められる範囲の全ての変更を含む。
【符号の説明】
【００５０】
１００  第１オイルポンプ
１０５  第２オイルポンプ
１１０  第１メインライン
１１５  第２メインライン
１２０  第１レギュレータバルブ
１２５  第２レギュレータバルブ
１３０  低圧部
１３５  高圧部
１４０  潤滑部
１４５  作動要素
１５０  第１切換バルブ
１５５  第２切換バルブ
１６０  第１チェックバルブ
１６５  第２チェックバルブ
１７０  第１バルブ作動ライン
１７５  第２バルブ作動ライン
１８０  高圧オイル伝達ライン
１８５  低圧オイル伝達ライン
１９０  第１非常ライン
１９５  第２非常ライン
４００  第１制御ポート
６００  第２制御ポート
【図１】
2014219096.tif 000003
【図２】
2014219096.tif 000004
【図３】
2014219096.tif 000005
【図４】
2014219096.tif 000006
【図５】
2014219096.tif 000007
【図６】
2014219096.tif 000008
【図７】
2014219096.tif 000009